Podtech/llm-jp-corpus-v4-ja_patent huggingface dataset:
(57)【要約】      （修正有）【課題】耕作作業に於いて、土を掘り起こす作業と同時に、元肥を混ぜ合わせることができる耕作用の農具を提供する。【解決手段】柄Ａ１の上部に柄Ｂ２を設け、柄Ａの下部に支え板５を設ける。掘起す土の表面にあらかじめ適量の元肥を散布し、掘り起しスコップ８を踏み付け部９まで踏み込む。支え板を軸として把手Ｂ４を腰部辺りまで引き下げる。引き下げ動作に伴い、支え板が４５度転がりながら、柄Ａを支え、掘り起しスコップの上の土と元肥は持上げられる。さらに、把手Ｂに上下振動を加えることにより、適度に混ざり合いながら元の位置付近へと落下する。【選択図】図１
2019146555.tif 000002
【特許請求の範囲】
【請求項１】
（イ）  柄Ａ（１）の上部に柄Ｂ（２）を設ける。
（ロ）  柄Ａ（１）の下部に固定された掘り起こしスコップ（８）に支え板（５）を設ける。
（ハ）  柄Ｂ（２）と支え板（５）は取り外し及び取り付けができる。
以上のように構成された耕作用の農具。
【発明の詳細な説明】
【発明の詳細な説明】
【産業上の利用分野】
【０００１】  本発明は、畑を耕す作業に於いて、土と元肥を簡易に混ぜ合わせることを目的とする農具である。
【背景技術】
【０００２】  畑の畝を作るときには、その前に土と元肥を混ぜ合わせて耕しておく作業がある。機械を使わない畑では、スコップと呼ばれる農具や鍬を使ってその作業をしていた。しかし、土を掘り返して元肥を混ぜ合わせる作業は容易なものではなかった。
【発明が解決しようとする課題点】
【０００３】  本発明は、その困難な土と元肥を混ぜ合わせる農具として開発したもので、耕した後の畝作り用の元肥との混合土を、簡易に作り整えることを目的としている。
【課題を解決するための手段】
【０００４】  以下その手段を説明すると、
（イ）  掘り起こそうとする土の表面に、あらかじめ適量の元肥をばら撒いておく。
（ロ）  その土の表面から、掘り起こしスコップ（８）を、踏み付け部（９）まで踏み込んで差し込む。
（ハ）  把手Ｂ（４）を持ち、支え板（５）を軸として、把手Ｂ（４）を腰部辺りまで引き下げてくる。
（ニ）  （ハ）の動作に伴い、支え板（５）が４５度転がりながら、柄Ａ（１）を支え、図６の如き状態となって、掘り起こしスコップ（８）の上の土と元肥は持ち上げられる。
（ホ）  持ち上げられた土と元肥は、図６の状態で、把手Ｂ（４）を持って上下振動を加えることにより、適度に混ざり合いながら元の位置付近へと落下する。このようにして畝作り用の元肥との混合土を簡易に作ることができる。
【作用】
【０００５】（イ）  支え板（５）の取り付け方法は、掘り起こしスコップ（８）と一体の支え板差し込み溝（７）に差し込んで取り付ける。さらにねじ止めする。
（ロ）  支え板（５）の取り付け方法は、他にも図１２のように支え板差し込み溝を設けず、柄Ａ（１）に固定されている掘り起こしスコップに、直接ねじ止めして取り付けることもできる。
（ハ）  本発明の目的を達するためには、支え板（５）は最も重要な部分である。その目的は、掘り起こした土とばら撒いておいた元肥を図６の状態にして、少なくとも土の表面から１８ｃｍの高さまで持ち上げ、振動を加えて土と元肥を混ぜ合わせることにある。したがって支え板（５）の働きはテコの応用を目的とするものではない。
（ニ）  支え板（５）には、沈み込み防止部を設けていて、土への沈み込みを防止している。
（ホ）  柄Ｂ（２）の取り付け方法は、差し込み部（１３）を継ぎ手（１０）に差し込んで取り付ける。さらにねじ止めする。
（ヘ）  柄Ｂ（２）の使用目的は、支え板（５）を転がして図６の状態を得ることと、その動作を把手Ａ（３）を持って行うことに比べ、離れた位置にある把手Ｂ（４）を持って行うことにより、左右の揺れに安定性を求める。さらには図６の状態で、把手Ｂ（４）を持って振動を加える動作の姿勢で屈まなくても良い形状にしている。
【実施例】
【０００６】  図６の状態で土と元肥が混ぜ合わされ、短時間で容易に畝作り用の土を作ることができる。また、他の実施例は、掘り起こしスコップ（８）の部分を、掘り起こしフォーク（１６）にして使用する。
【発明の効果】
【０００７】  以上のように、本発明の耕作用の農具を使用して耕せば、従来のように長い時間と大きな労力をかけなくても、短時間で的確に耕作作業を行うことができる。また、他の実施例で掘り起こしスコップ（８）を掘り起こしフォーク（１６）として使用した場合は、土への差し込む力を軽減することができる。
【図面の簡単な説明】
【図１】  本発明の斜視図
【図２】  本発明の正面図
【図３】  本発明の側面図
【図４】  本発明の上視図
【図５】  本発明の背面図
【図６】  本発明の使用図
【図７】  本発明の柄Ｂ（２）の拡大斜視図
【図８】  本発明の支え板（５）の拡大斜視図
【図９】  本発明の掘り起こしスコップ（８）の拡大斜視図
【図１０】  本発明の他の実施例の掘り起こしフォーク（１６）の拡大斜視図
【図１１】  本発明の他の実施例を示す斜視図
【図１２】  本発明の支え板（５）の他の取付方法を示す拡大斜視図
【符号の説明】  １  柄Ａ
２  柄Ｂ
３  把手Ａ
４  把手Ｂ
５  支え板
６  沈み込み防止部
７  支え板差し込み溝
８  掘り起こしスコップ
９  踏み付け部
１０  継ぎ手
１１  ねじ穴ａ
１２  ねじ穴ｂ
１３  差し込み部
１４  ねじ受け穴
１５  ねじ通し穴
１６  掘り起こしフォーク
【図１】
2019146555.tif 000003
【図２】
2019146555.tif 000004
【図３】
2019146555.tif 000005
【図４】
2019146555.tif 000006
【図５】
2019146555.tif 000007
【図６】
2019146555.tif 000008
【図７】
2019146555.tif 000009
【図８】
2019146555.tif 000010
【図９】
2019146555.tif 000011
【図１０】
2019146555.tif 000012
【図１１】
2019146555.tif 000013
【図１２】
2019146555.tif 000014
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
柄Ａと、
前記柄Ａの下部に固定された堀り起こし部と、
前記掘り起こし部に取り付けられた支え板と、を備え、
前記支え板は、扇状の平面部、及び前記扇状の平面部における弧の部分に設けられた沈み込み防止部を有し、
前記柄Ａと前記扇状の平面部とは、同一平面上に位置する、
耕作用の農具。
(57)【要約】      （修正有）【課題】虫取り網で捕獲した昆虫を網と地面の接地面から手を入れて取り出すときに生じる隙間から、昆虫が逃げ出さないように、網の外側から手を出し入れすることのできるようにファスナーを設けたファスナー付き虫取り網を提供する。【解決手段】虫取り網の網１の先端にファスナー２を設けたことを特徴とするファスナー付き虫取り網。【選択図】図１
2019146556.tif 000002
【特許請求の範囲】
【請求項１】
虫取り網の網（１）の先端にファスナー（２）を設けたことを特徴とするファスナー付き虫取り網。
【請求項２】
前記ファスナー（２）は、２つのスライドを有する線ファスナーである請求項１に記載のファスナー付き虫取り網。
【請求項３】
前記網（１）は、透明の窓（４）を有する請求項１又は２に記載のファスナー付き虫取り網。
【発明の詳細な説明】
【技術分野】
【０００１】  この発明は、虫取り網の網部分にファスナーを設けたファスナー付き虫取り網に関するものである。
【背景技術】
【０００２】  従来、虫取り網は、網部分にファスナーは設けられていなかった（例えば、特許文献１参照）。【０００３】  特許文献１に記載された虫取り網は、長さが調整可能な柄と、柄の先端に取り付けられた円形の針金部と、針金部に取り付けられた網部とを備えている。
【先行技術文献】
【特許文献】
【０００４】
【特許文献１】特開２００６−１０１８５６号公報
【発明の概要】
【発明が解決しようとする課題】
【０００５】  これは、つぎのような欠点があった。
従来、虫取り網で昆虫を捕獲した際、捕獲した昆虫を網の中に手を入れて取り出す際に、地面と網の間に隙間ができるので、昆虫が隙間から逃げ出したりするのでそれ防ごうとすると取り出しづらく、困ることが多かった。【０００６】  本発明は、以上のような欠点をなくすためになされたものであり、虫取り網で捕獲した昆虫を網と地面の接地面から手を入れて取り出すときに生じる隙間から、昆虫が逃げ出さないように、網の外側から手を出し入れすることのできるようにファスナーを設けたファスナー付き虫取り網を提供する。
【課題を解決するための手段】
【０００７】  虫取り網の網（１）の先端にファスナー（２）を設ける。
本発明は、以上の構成よりなるファスナー付き虫取り網である。
【発明の効果】
【０００８】  ファスナーが虫取り網の網と一体になっているので、網の中に捕獲した昆虫を網の外側からファスナーを開けて取り出すことができる。
すばしっこい昆虫でも、逃げ出す隙間が発生しないので、焦らずに手でつかまえることができる。
ファスナーを両開きにした場合、ファスナーのどこからでも開けることができ、網の中の昆虫のそばから手を入れることができる。
【図面の簡単な説明】
【０００９】
【図１】本発明の実施の形態に係るファスナー付き虫取り網の斜視図である。
【図２Ａ】図２Ａは、実施例１の虫取り網を示し、（ａ）は、正面図、（ｂ）は、平面図である。
【図２Ｂ】図２Ｂは、実施例１の虫取り網を示し、（ｃ）は、底面図、（ｄ）は、左側面図、（ｅ）右側面図である。
【図３】図３は、実施例１の使用状態を示す図である。
【図４Ａ】図４Ａは、実施例２の虫取り網を示し、（ａ）は、正面図、（ｂ）は、平面図である。
【図４Ｂ】図４Ｂは、実施例２の虫取り網を示し、（ｃ）は、底面図、（ｄ）、左側面図、（ｅ）右側面図である。
【図５】図５は、実施例２の使用状態を示す図である。
【発明を実施するための形態】
【００１０】  以下、本発明を実施するための形態について説明する。
【００１１】［実施の形態］
本実施の形態の虫取り網は、図１に示すように、虫取り網の網（１）にファスナー（２）を設け、網（１）を先端に取り付けた棒（３）を備える。
本発明は、以上のような構造である。
【００１２】  本発明を使用するときは、虫取り網の網に設けられたファスナーを開けて手を入れて、捕獲した昆虫を取り出せばいい。
【００１３】  なお、網（１）は、もともとファスナーの設けられている網や通気性のある布を網として虫取り網に取り付けてもよい。
【００１４】  また、網（１）が網目の狭い網や中が見えない布の場合、網（１）の一部に透明のビニール等の樹脂製の窓を取り付けて、網の中を確認できるようにしてもよい。
【００１５】  ファスナー（２）としては、例えば、マジックテープ（登録商標）、ベルクロ（登録商標）等と称されている面ファスナー、ジッパ（登録商標）、チャック（登録商標）等と称せられている線ファスナーを用いることができる。線ファスナーは、スライダーを１つ用いた片開きのものでも、スライダーを２つ用いた両開きのものでもよい。
【００１６】  ファスナー（２）を取り付ける位置は、例えば、図１に示すように、網（１）の先端（開口側と反対側の端部）が好ましいが、他の箇所でもよい。
【００１７】  ファスナー（２）は、子供の手が虫を捕まえて引き出すことが可能な大きさとなるように１５ｃｍ以上の長さを有する。
【実施例１】
【００１８】  実施例１は、図２Ａ、図２Ｂに示すように、虫取り網の網（１）の先端にファスナー（２）が設けられている。実施例１の網（１）の形状は、図２Ａの（ａ）に示すように、正面から見た場合、台形の形を有し、図２Ｂ（ｄ）、（ｅ）に示すように、側面から見た場合、三角形の形を有している。なお、網（１）の形状は、これらの形状に限られない。【００１９】  実施例１を使用するときは、図３に示すように、虫取り網の網（１）に設けられたファスナー（２）を開けて、網の外側から網の中に手を入れて、捕獲した昆虫を取り出せばよい。【００２０】  なお、実施例１の網（１）に後述する窓（４）を設けてもよい。
【実施例２】
【００２１】  実施例２は、図４Ａ、図４Ｂに示すように、虫取り網の網（１）にファスナー（２）と窓（４）が設けられている。実施例２の網（１）の形状は、図４Ａの（ａ）に示すように、正面から見た場合、半円形の形を有し、図４Ｂ（ｄ）、（ｅ）に示すように、側面から見た場合、半円形の形を有している。なお、網（１）の形状は、これらの形状に限られない。【００２２】  窓（４）は、例えば、ビニール製であり、直径１０ｃｍ程度の円形を有する。なお、窓（４）の形状は、楕円でも矩形でもよい。【００２３】  実施例２を使用するときは、図５に示すように、虫取り網の網（１）に設けられている窓（４）から網の中にいる捕獲した昆虫を確認できるようになっており、ファスナー（２）を開けて、網の外側から網の中に手を入れて、捕獲した昆虫を取り出せばよい。
【符号の説明】
【００２４】      １  虫取り網の網
２  ファスナー
３  虫捕り網の棒
４  網の中にいる虫を確認する窓
【図１】
2019146556.tif 000003
【図２Ａ】
2019146556.tif 000004
【図２Ｂ】
2019146556.tif 000005
【図３】
2019146556.tif 000006
【図４Ａ】
2019146556.tif 000007
【図４Ｂ】
2019146556.tif 000008
【図５】
2019146556.tif 000009
(57)【要約】      （修正有）【課題】従来の動物用の爪とぎヤスリは、爪だけでなく、手の柔らかい部分が傷付く恐れがあった。それを防止するための動物用の爪とぎヤスリを提供する。【解決手段】ヤスリ１に山形のレール２を敷いて、爪だけが入る溝を作ったことを特徴とする。【選択図】図４
2019146570.tif 000002
【特許請求の範囲】
【請求項１】
動物用の爪とぎヤスリ。
【発明の詳細な説明】
【技術分野】
【０００１】  この発明は動物用の爪とぎヤスリに関するものである。
【背景技術】
【０００２】  従来、動物の指先の形に合った爪をとぐヤスリは無かった。
【発明の開示】
【発明が解決しようとする課題】
【０００３】  これは次のような問題点があった。
従来、動物用として販売されているヤスリは、人間用の物と基本的な形状は同じであり、動物に使用した場合、動物の指先が傷付くものであった。さらに、猫の爪とぎ用段ボールは脆く、消耗品であった。
本発明は、以下の欠点をなくすためになされたものである。
【課題を解決するための手段】
【０００４】  動物の指先がヤスリに触れず、爪だけが削れるように溝を付けた物である。
【発明の効果】
【０００５】  溝の中に、動物の爪だけが入るので指先を傷つけず、爪だけ削ることができる。さらに、消耗品の猫の爪とぎ用ダンボールとは違い、丈夫な素材で作ることができる。
【発明を実施するための最良の選択】
【０００６】  以下、本発明の実施の形態について説明する。
（イ）ヤスリ（１）の上に、山形のレール（２）を動物の爪だけが入るだけの間隔を空けて設置する。
（ロ）取っ手（３）を付けたり、湾曲させることで、爪が削りやすい形状になる。
（ハ）板状にすることで、動物が自主的に爪をとぐことができる。
【図面の簡単な説明】
【０００７】
【図１】本発明の平面図である。
【図２】本発明の正面図である。
【図３】本発明の側面図である。
【図４】本発明の斜視図である。
【図５】本発明の実施例を示す斜視図其の１である。
【図６】本発明の実施例を示す斜視図其の２である。
【符号の説明】
【０００８】１  ヤスリ
２  レール
３  取っ手
【図１】
2019146570.tif 000003
【図２】
2019146570.tif 000004
【図３】
2019146570.tif 000005
【図４】
2019146570.tif 000006
【図５】
2019146570.tif 000007
【図６】
2019146570.tif 000008
(57)【要約】【課題】  腹圧や繰り返しの使用によって調整孔が変形することを防止すると共に、外観上目立つことがなく、また他のものに接触することもないベルトを提供する。【解決手段】  ベルト１は、裏ベルト材３には、一定の間隔を隔ててハトメ５，５・・が並設され、表ベルト６には、ハト目５，５・・と同じ位置に調整孔７，７・・が穿設されることにより、腹圧がかかることや繰り返し使用しても、ハトメ５，５・・に力がかかることによって調整孔７，７・・が変形することを防止すると共に、ハトメ５，５・・が裏側になることで外観上目立つことはなく、他のものに接触して傷付けることもない。【選択図】図１
2019039088.tif 000002
【特許請求の範囲】
【請求項１】
帯状の表ベルト材と裏ベルト材とを少なくとも重ね合わせて接合してなるベルトであって、
前記裏ベルト材には、一定の間隔を隔ててハトメが並設され、
前記表ベルト材には、前記ハトメと同じ位置に調整孔が穿設されることを特徴とするベルト。
【請求項２】
前記表ベルト材と裏ベルト材との間に芯材が介在され、前記ハトメは、前記裏ベルト材と前記芯材とに跨がって並設されることを特徴とする請求項１に記載のベルト。
【発明の詳細な説明】
【技術分野】
【０００１】
本発明は、一方の端部に遊回動可能に設けられた係止ピンが、他方の端部側に一定の間隔で穿設された調整孔に係止して長さの調整を行うベルトに関するものである。
【背景技術】
【０００２】
従来より、係止ピンが調整孔に係止して長さの調整を行うベルトにおいては、調整孔の位置にハトメが設けられ、調整孔の変形を防止する構造のものが知られている（特許文献１）。
【先行技術文献】
【特許文献】
【０００３】
【特許文献１】実用新案登録第３１０１１６８号公報
【発明の概要】
【発明が解決しようとする課題】
【０００４】
しかしながら、このような構造のベルトでは、腹圧や繰り返しの使用によって調整孔が変形することは防止できるものの、表地側から裏地側に亘ってハトメが設けられることから外観上目立ってしまい好ましくなかった。また、ハトメが他のものに接触すると傷付けてしまう恐れもあった。
【０００５】
そこで、本発明の目的は、上記従来のベルトの問題点を解消し、腹圧や繰り返しの使用によって調整孔が変形することを防止すると共に、外観上目立つことがなく、また他のものに接触することもないベルトを提供することにある。
【課題を解決するための手段】
【０００６】
本発明のうち、請求項１に記載された発明は、帯状の表ベルト材と裏ベルト材とを少なくとも重ね合わせて接合してなるベルトであって、
前記裏ベルト材には、一定の間隔を隔ててハトメが並設され、
前記表ベルト材には、前記ハトメと同じ位置に調整孔が穿設されることを特徴とするものである。
請求項２に記載の発明は、請求項１に記載の発明に加え、前記表ベルト材と裏ベルト材との間に芯材が介在され、前記ハトメは、前記裏ベルト材と前記芯材とに跨がって並設されることを特徴とするものである。
【発明の効果】
【０００７】
請求項１に記載された発明は、腹圧がかかることや繰り返し使用しても、ハトメに力がかかることによって調整孔が変形することを防止すると共に、ハトメが裏側になることで外観上目立つことはなく、他のものに接触して傷付けることもない。
請求項２に記載された発明は、裏ベルト材が芯材に密着し、より一層調整孔が変形されにくくなる。
【図面の簡単な説明】
【０００８】
【図１】（ａ）〜（ｈ）は、ベルトにハトメと調整孔とが設けられる手順を示す説明図である。
【発明を実施するための形態】
【０００９】
以下、本発明のベルトの一実施形態について、図面に基づいて詳細に説明する。
図１は、ベルトにハトメと調整孔とが設けられる手順を示す説明図である。
【００１０】
図１（ａ）に示す帯状の芯材２に裏ベルト材３を接着して重ね合わせた状態において、図１（ｂ）に示すように、一方の端部側に孔４，４・・を一定の間隔で穿設する。図１（ｃ）に示すように、ハトメ５，５・・を、この孔４，４・・の位置で芯材２と裏ベルト材３とに跨がって並設する。
【００１１】
次に、図１（ｄ）に示すように、芯材２の表側に表ベルト材６を接着すると、裏ベルト材３、芯材２、表ベルト材６の順に層状に重ね合わせた状態となる。図１（ｅ）に示すように、内周にミシンを掛けてミシン目８を形成すると、裏ベルト材３、芯材２、表ベルト材６が一体に固定されることとなる。
【００１２】
その後、図１（ｆ）に示すように、裏ベルト材３のハトメ５，５・・と同じ位置に、表ベルト材６に調整孔７，７・・を穿設する。図１（ｇ）に示すように、外周を裁断して外形を整えると、表側の調整孔７，７・・の位置で裏側にハトメ５，５・・が設けられたベルト１が形成される。
そして、図１（ｈ）に示すように、ベルト１の他方の端部に設けられるバックル１０に、遊回動可能に設けられる係止ピン９を好適な位置の調整孔７に挿通すると、ハトメ５にも係止ピン９が挿通されて装着した状態となる。
【００１３】
上記の如く構成されるベルト１は、裏ベルト材３には、一定の間隔を隔ててハトメ５，５・・が並設され、表ベルト材６には、ハトメ５，５・・と同じ位置に調整孔７，７・・が穿設されることにより、腹圧がかかることや繰り返し使用しても、ハトメ５，５・・に力がかかることによって調整孔７，７・・が変形することを防止すると共に、ハトメ５，５・・が裏側になることで外観上目立つことはなく、他のものに接触して傷付けることもない。
【００１４】
更に、表ベルト材６と裏ベルト材３との間に芯材２が介在され、ハトメ５，５・・は、裏ベルト材３と芯材２とに跨がって並設されることにより、裏ベルト材３や表ベルト材６が芯材２に密着し、より一層調整孔７，７・・が変形されにくくなる。
【００１５】
なお、本発明にかかるベルトは、上記した実施の形態に何ら限定されるものではなく、本発明の趣旨を逸脱しない範囲で、ハトメや調整孔の大きさ、形状等を適宜変更することができる。
【００１６】
例えば、ハトメ５，５・・は、一定の間隔で一列に並設されているが、芯材２と裏ベルト材３とに亘って設けられ、ベルト１の表側に表れることがなく、調整孔７，７・・の変形を防止できれば複数列にしても良い。この場合、調整孔７，７・・も同様である。
【００１７】
裏ベルト材３や表ベルト材６の芯材２への接合は、接着剤の塗布や縫製、両面テープの使用であっても良く、またアイロンなどの加熱機器で溶着する感熱接着シート（ホットメルトシート）を使用しても良く、適宜変更可能である。また、ベルト１は芯材２を除き、裏ベルト材３と表ベルト材６とを重ね合わせた２層で構成しても良い。
【符号の説明】
【００１８】
１・・ベルト、２・・芯材、３・・裏ベルト材、４・・孔、５・・ハトメ、６・・表ベルト材、７・・調整孔、８・・ミシン目、９・・係止ピン、１０・・バックル。
【図１】
2019039088.tif 000003
(57)【要約】【課題】  冷蔵庫オープンドア部分の奥の格納置き棚は、奥側に置いた格納物の出し入れが不自由で、全体を簡単に確認することが出来なかった。在庫管理、賞味期限管理等にも苦労し不具合が多かった。これらの欠点を解消する手段を提供するものである。【解決手段】  冷蔵庫オープンドア部分の奥の置き棚（１）の奥ゆきを直径とする円形ターンテーブル（２）を作成する。円形ターンテーブル（２）の中心部分に丸穴（３）を設定する。丸穴（３）の口径に合わせて円柱受け軸（４）を設定し、置き棚（１）に接着、固定させた上で円形ターンテーブル（２）を填めて収める。円形ターンテーブル（２）の端の数か所に、回転させる時に使う小さな突起物（５）を設置する。この構成で、置き棚（１）上の左右いずれかの片側に寄せて円形ターンテーブル（２）を設置すれば、格納物の出し入れは回転により不自由なく、他の品物も落すことなく楽に行うことが出来る。【選択図】図３
2019039664.tif 000002
【特許請求の範囲】
【請求項１】
冷蔵庫オープンドア部分の奥の置き棚（１）上に、円形ターンテーブル（２）を設けてそれを回転させて、その上に置いた格納物を出し入れする形態。円形ターンテーブル（２）を置き棚（１）上の左右いずれかの片側に寄せて設置し、他一方側を既存の通常置き棚として使用する構造とする。円形ターンテーブル（２）は、中心部分に丸穴（３）と端に取っ手にする突起物（５）を設け、円柱受け軸（４）と併用し、既存の冷蔵庫に追加設定して使用する方法又は、冷蔵庫製造時よりこの構造物を一体で設置する方法のいずれの形態も特許請求の範囲とする。
【発明の詳細な説明】
【技術分野】
【０００１】  この発明は、冷蔵庫オープンドア部分の奥の置き棚に格納された食料品を、楽に出し入れするための器具に関するものである。
【背景技術】
【０００２】  これまで、冷蔵庫内の食料品の出し入れを楽にする方法は、ドア開放時に置き棚を手前にスライドさせるか、あるいは手前に引張って延長させる設定しか見当らない。
【発明の概要】
【発明が解決しようとする課題】
【０００４】  従来の冷蔵庫オープンドア部分の奥の置き棚には、次の様な課題があった。
（イ）奥に格納した食料品の取り出しが、極めて不便であった。
（ロ）奥に格納した食料品を取り出す時は、手前に置いた品物を動かすか、一旦取り除く必要があった。
（ハ）奥に格納した品物を全て確認する際は、大変手間がかかった。
（ニ）格納した食料品の賞味期限等の確認に時間がかかった。
（ホ）食料品の高さにより、置き棚の高さ幅を調整する棚受けの設定があるのみ。
【課題を解決するための手段】
【０００５】  冷蔵庫オープンドア部分の奥の置き棚（１）の奥ゆきを直径とする円形ターンテーブル（２）を作成する。円形ターンテーブル（２）の中心部分に丸穴（３）を設定する。丸穴（３）の口径に合わせて円柱受け軸（４）を設定し、置き棚（１）に接着、固定させた上で円形ターンテーブル（２）を填めて収める。円形ターンテーブル（２）の端４か所に、回軽させる時に使う小さな突起物（５）を設置する。この構成で、置き棚（１）上の左右いずれかの片側に寄せて円形ターンテーブル（２）を設置すれば、格納物の出し入れは、極めて簡単に行うことが出来る。
【発明の効果】
【０００６】  （イ）格納した食料品の出し入れが楽になる。
（ロ）格納した食料品の種類、在庫の確認が楽になる。
（ハ）円形ターンテーブルで食料品の置き位置の前後を楽に変更できる。
（ニ）この構成により、置き棚の面積の６割を円形ターンテーブルで利用し、残り６割を差し引いた４割を容量の大きな物、長期保存や固定置きで利用すれば、分別管理が大変楽になる。
【図面の簡単な説明】
【０００７】
【図１】  本発明の平面図である。
【図２】  本発明の正面図である。
【図３】  本発明の斜視図である。
【図４】  円柱受け軸の斜視図である。
【発明を実施するための形態】
【０００８】  冷蔵庫オープンドア部分の奥の置き棚（１）の奥ゆきを直径とする円形ターンテーブル（２）を薄いプラスチックで作成する。円形ターンテーブル（２）の中心部分に丸穴（３）を設定する。丸穴（３）の口径に合わせて円柱受け軸（４）を設定し、置き棚（１）に接着、固定させた上で円形ターンテーブル（２）を填めて収める。円形ターンテーブル（２）の端４か所に、回転させる時に使う小さな突起物（５）を設置する。この構成で置き棚（１）上の左右いずれかの片側に寄せて円形ターンテーブル（２）を設置すれば、格納物の出し入れは、極めて簡単に行うことが出来る。既存の冷蔵庫に円形ターンテーブル（２）を追加で設置して使用する場合は上記の形態である。これから新しく製造する冷蔵庫の場合は、置き棚（１）に円柱受け軸（４）を予め設置し、突起物（５）つきの円形ターンテーブル（２）を置き棚（１）のサイズに沿って作成して回転させて使用すれば、自由に商物品、食料品の取り出しが可能な構造となる。
【符号の説明】
【０００９】  １  置き棚
２  円形ターンテーブル
３  丸穴
４  円柱受け軸
５  突起物
【図１】
2019039664.tif 000003
【図２】
2019039664.tif 000004
【図３】
2019039664.tif 000005
【図４】
2019039664.tif 000006
(57)【要約】【課題】  従来の雨量計は小さな鹿威し式の雨水升を使う物が多く、精度も低く計量にも時間がかかっていた。一部高級機にはロードセルなどを内蔵し、常時計量できる物もあるが、たまった雨水の排出などにバルブなどを使う必要があり、機器の大型化や木の葉などの異物の混入も故障の原因などになっていた。【解決手段】  本発明では、ロードセル一体型の深皿形雨水升を回転させて排水する方法を考案した。深皿にはいくつかのリブが付いており、回転時の排水を容易にしている。この雨水升はモーターに直結しており、一定量の測定、または一定時間の測定後に、自動回転し内部に貯まった雨水を排水する。【選択図】図１
2019039898.tif 000002
【特許請求の範囲】
【請求項１】
ロードセルと一体化した回転して排水する雨水升を特徴とする雨量計
【発明の詳細な説明】
【技術分野】
【０００１】  本発明は雨水などの計量に使う、雨量計に関するものである。
【背景技術】
【０００２】  近年、異常気象などの頻発で砂漠化などが進み、雨水などを再利用する機運が高まっている。そのためにも降雨の実態をきめ細かく記録する必要があり、正確で低価格な雨量計が求められている。
【発明の開示】
【発明が解決しようとする課題】
【０００３】  従来の雨量計は小さな鹿威し式の雨水升を使う物が多く、精度も低く計量にも時間がかかっていた。一部高級機にはロードセルなどを内蔵し、常時計量できる物もあるが、たまった雨水の排出などにバルブなどを使う必要があり、機器の大型化や木の葉などの異物の混入も故障の原因になるなど問題も多かった。
【課題を解決するための手段】
【０００４】  本発明では、ロードセル一体型の深皿形雨水升を回転させて排水する方法を考案した。深皿にはいくつかのリブが付いており、回転時の排水を容易にしている。この雨水升はモーターに直結しており、一定量の測定、または一定時間の測定後に、自動回転し内部に貯まった雨水を排水する。
【発明の効果】
【０００５】簡単な構造でモーターとも一体化されるので、低価格で製造できる。そのため多くの場所に設置でき、測定精度を高めることができる。
【産業上の利用可能性】
【０００６】  ますます温暖化などが進み、異常気象が常態化しており、突発的な災害にそなえて、雨量などの観測地点を増やす必要があり、少ない雨量を正確に測定する雨量計が求められている。また、狭い地域での集中的な降雨の測定には、小型軽量でどこにでも簡単に設置できる雨量計も求められており、本発明の雨量計の需要はかなり多い物と思われる
【図面の簡単な説明】
【０００７】
【図１】全体の構成図である。
【符号の説明】
【０００８】１）深皿型雨量升
２）ロードセル
３）モーター
４）回転ベース
【図１】
2019039898.tif 000003
(57)【要約】      （修正有）【課題】ワイシャツの裾をスラックスにしまった状態や打合せのあるブラウスの裾をスカートにしまった状態でも、上下繋ぎの服でも送風機を使用できるようにすること。【解決手段】衣類の上前身頃と下前身頃の隙間から衣類外部の空気を衣類内部に送風する装着型送風機により、この課題を解決する。また、送風機本体と送風用ノズルで上前身頃を挟むことで、送風用ノズルが衣類から外れにくく、装着状態の安定性を保つ構造的な特徴を有する。【選択図】図１
2019039119.tif 000002
【特許請求の範囲】
【請求項１】
前身頃の打合せの隙間より衣類外部の空気を衣類内部に送風する装着型送風機。
【請求項２】
送風機本体と送風用ノズルで衣類の上前身頃を挟む構造を特徴とした装着型送風機。
【発明の詳細な説明】
【技術分野】
【０００１】  本発明は、衣服に装着し涼をとる送風機に関するものであり、衣類の上前身頃と下前身頃の隙間より衣類外部の空気を衣服内部に送り込むことができる。【０００２】  衣類に後から装着する送風機として、従来から胴ベルトに送風機を固定するものが製品化されている。また、上着の裾の隙間より送風するものが考案されている。その例として、特許文献１に開示されているものがある。
【特許文献１】実用新案登録第３２１０２０７号
【発明の概要】
【発明が解決しようとする課題】
【０００３】  しかし、従来のような空調服を必要としない後付けの送風機では、上着など衣類の裾が開口された状態での使用に限定されている。ワイシャツの裾をスラックスにしまった状態や打合せのあるブラウスの裾をスカートにしまった状態では送風機を使用することはできない。上下繋ぎの服でも送風機を使用できない。また、送風機を固定するための胴ベルトが必須となるため、送風機が使用できる衣類が限定される課題があった。
【課題を解決するための手段】
【０００４】  この課題を解決するための発明は、衣類の上前身頃と下前身頃の隙間より衣類外部の空気を衣類内部に送風する装着型送風機である。【０００５】  また、請求項２の発明は、送風用ノズルと送風機本体で上前身頃を挟むことにより安定性が増し、身体を動かした際に送風用ノズルが衣類から外れにくく、送風機の装着状態を保つことができる。
【発明の効果】
【０００６】  本発明により、前面に打合せのある衣類であれば裾をスラックスやスカートにしまった状態でも送風機を装着し使用できる。また、前面に打合せのある上下繋ぎの服でも送風機を使用することができる。首掛け紐により送風機を胴体前面に吊り下げるため、送風機を固定するための胴ベルトを必要としない。【０００７】  さらに、送風機本体と送風ノズルで上前身頃を挟んでいるので、送風機を装着した状態で身体を動かしたとしても、送風機が衣類から外れにくく装着状態を保つことができる。
【図面の簡単な説明】
【０００８】
【図１】  送風機を衣服に装着した状態を示した正面図である。
【図２】  請求項２の発明として、上前身頃を送風機本体と送風用ノズルで挟む構造を特徴とする送風機を、衣服に装着した状態を示した正面図である。
【図３】  請求項２の発明として、送風機本体と送風用ノズルで上前身頃を挟み装着された状態を示した平面図である。衣類の上前身頃４と下前身頃５は断面図として示す。
【符号の説明】
【０００９】１  送風機
２  送風用ノズル
３  首掛け紐
４  衣類の上前身頃
５  衣類の下前身頃
【図１】
2019039119.tif 000003
【図２】
2019039119.tif 000004
【図３】
2019039119.tif 000005
(57)【要約】【課題】  従来のトランクスは、左右の脚口部分が同一サイズであるため、左右の片方の脚口に男性器を収めた場合、あるいは中央に押えて収めた場合に以下の課題があった。一方の脚口にしっかり収めた場合は、脚と男性器が占める範囲が他方より相当広くなり、物理的に狭く窮屈になる。又、収めた方の脚口に一定のふくらみがないため、排尿時に取り出しにくく不便である。さらにズボン着用の場合は、長時間にわたって圧迫するために、青少年の男性器の健全な成長に悪影響を及ぼす恐れがある。【解決手段】  パンツ前面左右の内、一方の脚口（２）を狭く設け、それに隣接した中央部分に男性器をゆったり収める下ふくらみの半円垂形のふくらみ（３）を設ける。中央部とその残りを併せた部分を他方の脚口（１）として幅広く設定する。左右の脚口の間は、切り込み（４）を深く設け、狭い脚口部分（２）の縦幅は広い脚口部分（１）に比べて、一定程度短かくする。以上のストレスフリーの形態を特徴とするトランクスである。【選択図】図１
2019039129.tif 000002
【特許請求の範囲】
【請求項１】
パンツ前面左右の脚口の内、一方の脚口（２）を狭く設け、それに隣接した中央部分に男性器をゆったり収める下ふくらみの半円垂形のふくらみ（３）を設ける。中央部とその残りを併せた部分を他方の脚口（１）として幅広く設定する。左右の脚口の間の切り込み（４）を深く設けて、狭い脚口部分（２）の縦幅は広い脚口部分（１）に比べて一定程度短かく設定する。以上の様な形態のストレスフリーな男性用トランクス。
【発明の詳細な説明】
【技術分野】
【０００１】  この発明はパンツの前面の右脚口部分と左脚口部分のいずれかを大きく設けた男性用トランクスに関するものである。
【背景技術】
【０００２】  従来の男性用トランクスは、右脚口部分と左脚口部分が左右対象で同一サイズである。
【発明の概要】
【発明が解決しようとする課題】
【０００４】  これは従来次のような欠点があった。
（イ）着用時に安定的に男性器をしっかり収める場合は、多くは左右いずれかに収めるために脚口のサイズが左右同一では不具合がある。
（ロ）左右いずれかに収めた場合、収めた側は他方の側より幅が物理的に大きくなるた狭くて窮屈になる。
（ハ）男性器を物理的にゆったり収めるふくらみがない。従って排尿時に外に取り出しにくく、不便である。
（ニ）男性器を左右いずれかに収めずパンツで押えて着用する場合は、その上からのズボンの着用による長時間の抑圧により、男性器の健全な成長に悪影響を及ぼす。
（ホ）ストレスフリーの解放感がないため、若年時の膨張機能を妨げる。
【課題を解決するための手段】
【０００５】  パンツの左脚口側に男性器を収める場合で記載する。
パンツ前面の左脚口部分（１）を右脚口部分（２）より、幅広くとり、左脚口部分（１）の中央よりに男性器を収めるふくらみ（３）を設ける。右脚口部分（２）とふくらみ（３）との間にはパンツの切り込み（４）を設ける。右脚口部分（２）の縦幅は左脚口部分に比べて、かなり短かく設定する。中央部分のふくらみ（３）はゆったりした形状で設定する。本発明は以上の構成よりなる、スイング型壮快男性用トランクスである。
【発明の効果】
【０００６】  （イ）中央部のふくらみにより、男性器を収めても安定感がある。
（ロ）一方の脚口が広くなるため、脚口のよれによる痛みや痒みが解消される。
（ハ）前開きタイプの場合でも、中央部のふくらみがあるため、排尿時の取り出しが、容易になる。
（ニ）男性器のストレスが解消されるために気心地も良く、ズボン着用時も長時間の抑圧がないため、男性器の成長に悪影響はない。
【図面の簡単な説明】
【０００７】
【図１】  本発明の正面図である。
【図２】  本発明の斜視図である。
【発明を実施するための形態】
【０００８】  パンツの左脚口側に男性器を収める場合で記載する。
パンツの前面横幅の内、約５分の２を右脚口部分（２）とし、その隣接中央部分の約５分の１を男性器を収めるふくらみ（３）とする。中央部分のふくらみ（３）と左側残りを併せたものが左脚口部分（１）となる形態で設ける。右脚口部分（２）とふくらみ（３）との間にパンツの切り込み空間（４）を深く設け、右脚口部分（２）の縦幅は左脚口部分（１）に比べて、約２割程度短く設定する。中央部分のふくらみ（３）は、下ふくらみの半円垂形で設けて、ストレスフリーの安定感ある解放的な着心地のパンツとする。
【符号の説明】
【０００９】  １  左脚口部分
２  右脚口部分
３  ふくらみ
４  切り込み
【図１】
2019039129.tif 000003
【図２】
2019039129.tif 000004
(57)【要約】【課題】断熱パネルの厚さが薄く、従来の断熱効果を保ち、施工をより簡易にした内装に使用する仕上げ材一体型断熱パネルを提供する。【解決手段】下地材１と、断熱材２と、仕上げ材３とを順次積層してなる構成としたもので、断熱材２は固定枠４の枠材の凹部にはめ込むものとする。従来の断熱材よりも薄く、また仕上げ材も断熱材も一体型に構成した３層構造とすることにより、解体工事もなく、粉塵が軽減され、工程が短縮でき、内装仕上げも不要とすることができる。【選択図】図１
2019039286.tif 000002
【特許請求の範囲】
【請求項１】
下地材と仕上げ材で両面を挟み、口の字型の枠材の中に断熱材をはめ込み一体型に下地材、断熱材と仕上げ材とを順次積層して３層構造としたことを特徴とする仕上げ材一体型断熱パネル。
【請求項２】
断熱材は固定枠である枠材の凹部にはめ込んで構成したことを特徴とする請求項１記載の仕上げ材一体型断熱パネル。
【発明の詳細な説明】
【技術分野】
【０００１】  本発明は、仕上げ材一体型断熱パネルに関するものである。
【背景技術】
【０００２】  従来、リフォーム時に内装の断熱方法としては、壁を解体し、断熱材を充填し、その後、再度壁を付けていくという方法であった。
【先行技術文献】
【特許文献】
【０００３】
【特許文献１】特開平６−１５９６９５号公報
【発明の概要】
【発明が解決しようとする課題】
【０００４】    従来の方法では、解体工事があり、粉塵も有り、近隣への音も懸念される。また工程が多く、手間がかかり、工期も長くなり、コストも高くつくという問題があった。
【課題を解決するための手段】
【０００５】    上記目的を達成するために、本発明は下地材と仕上げ材で両面を挟み、口の字型の枠材の中に断熱材をはめ込み一体型に下地材、断熱材と仕上げ材とを順次積層して３層構造で構成としたものである。そして、断熱材は固定枠である枠材の凹部にはめ込むものとする。
【発明の効果】
【０００６】    本発明に係る仕上げ材一体型断熱パネルによれば、上述の構成としているため、解体工事もなく、粉塵が軽減されるので、工程が短縮でき、リフォーム工事中の住人の負荷が減らすことが出来る。仕上げ材と一体となっている為、内装仕上げが不要である。また、はめ込んでいる断熱材約８ｍｍ厚みは、従来に用いる断熱材グラスウール約１４ｃｍ厚みと同等の断熱効果が得られる。
【図面の簡単な説明】
【０００７】
【図１】本発明の仕上げ材一体型断熱パネルを示す一部断面斜視図である。
【図２】図１のＡ−Ａ断面図である。
【発明を実施するための形態】
【０００８】    本発明の仕上げ材一体型断熱パネルは、図１、２に示すように、下地材と仕上げ材で両面を挟み、断熱材はロの字型の枠材の中にはめ込んでいる。仕上げ材が断熱材と一体型に構成している為、現場での組立作業が簡易化され、またコストも削減できる。仕上げ材がパネル一体型に構成されおり、壁紙、木材製、石材製、塗板材製と数種類選ぶことができる。
【実施例】
【０００９】    以下に、本発明の実施例を図１、図２を参照しながら説明する。
本実施例の仕上げ材一体型断熱パネルは、図１に示す斜視図および図２で示すＡ−Ａ断面図のように、樹脂製の薄い下地材１、冷蔵庫に用いられる断熱材２、壁紙や木材製シート、石材製シート、塗板材製シート等の仕上げ材を順次積層して３層構造とする。断熱材は、厚さ約８ｍｍで一般的な断熱材であるグラスウール約１４ｃｍと同様の断熱効果がある。仕上げ材一体型断熱パネルの厚さは約２０ｍｍと薄くでき、既存の壁の上に施工の際、部屋が狭くならない。また施工方法は、接着剤で貼り付ける。
【産業上の利用可能性】
【００１０】  本発明の仕上げ材一体型断熱パネルは、リフォーム時に内装用の断熱材機能を兼ね備えた仕上げ材として使用できる。
【符号の説明】
【００１１】  １  下地材
２  断熱材
３  仕上げ材
４  枠材
【図１】
2019039286.tif 000003
【図２】
2019039286.tif 000004
(57)【要約】【課題】建造物のメンテナンス時に避雷導線や鳥害ワイヤー等の保護を行う必要がある場合、条件対応が要求されるという問題点を解決し、様々な条件対応性があり、容易に設置しその上からロープ等這わせ導線や鳥害ワイヤーの保護を提供する。【解決手段】建造物の笠木等に本器具を設置し角棒と角棒の間に導線等を通し角棒上にロープやステンレスワイヤー等を通すことにより干渉を回避し導線等を保護する。導線等が設置高により角棒間に納まらない場合は付属の高さ調整器具を蝶ネジで固定し使用する。【選択図】図１
2019078022.tif 000002
【特許請求の範囲】
【請求項１】
角棒と角棒を水平に並べその間に導線や鳥害ワイヤー等を通す金属で構成されていることを特徴とする養生装置。
【請求項２】
底板部に第1角棒と第2角棒で構成されていることを特徴とする請求項1に記載の養生装置。
【請求項３】
逸脱防止用に第1丸棒と第2丸棒を取り付けてられていることを特徴とする請求項1または2に記載の養生装置。
【請求項４】
高さ調整用床板を有し請求項1から3までのいずれかに記載の養生装置。
【発明の詳細な説明】
【技術分野】
【０００１】
本装置はゴンドラ及びブランコ設置時のステンレスワイヤーやロープから避雷導線及び鳥害ワイヤーの保護に関するものである
【背景技術】
【０００２】
従来は導線等の下部にロープなどを這わせておりましたが、ロープやステンレスワイヤー等をを盛り替える場合垂らしているロープ等を上げており、時間がかかりました。
【先行技術文献】
【特許文献】
【０００３】
【特許文献１】(非)特許文献ｎ
【発明の概要】
【発明が解決しようとする課題】
【０００４】
ロープ等の盛り替え時間の短縮
【課題を解決するための手段】
【０００５】
角棒間に導線等を通すことにより干渉を防止した。
【発明の効果】
【０００６】
導線等の干渉を抑制することにより、作業効率の向上。
【図面の簡単な説明】
【０００７】
【図１】底板上部の角棒1の間に導線等と通す。丸棒2と丸棒2の間にロープ等を這わす。丸棒は逸脱防止用。角棒に開いているいる穴4は落下防止用のロープを入れる穴。底板に開いている4箇所の穴3は図3の高さ調整用器具を固定するためのネジ穴。
【図２】図Aは図1の器具を側面を横から見たもの。図Bは図1の側面を後方から見たもの。
【図３】高さ調整用床板
【図４】図1と図3を蝶ネジにて固定している状態
【発明を実施するための形態】
【０００８】
本装置を使用してゴンドラ及びブランコ作業を行う際に導線等の養生を行う必要がないので作業効率が上がる。
【実施例】
【０００９】
本装置を使用することにより作業効率の向上
【符号の説明】
【００１０】
符号1角棒
符号2丸棒
符号3ネジ穴
符号4落下防止用紐通し用穴
符号5底板
符号6補強用角棒
符号7蝶ネジ
【図１】
2019078022.tif 000003
【図２】
2019078022.tif 000004
【図３】
2019078022.tif 000005
【図４】
2019078022.tif 000006
(57)【要約】【課題】従来の水力発電において、流込式発電ベース供給用と（揚水式、調整池式、貯水池式）発電ピーク供給用と単体で個々の電源として分かれていた（調整池式、貯水池式）発電では自然から供給される水の量が年間を通じて一定ではないという問題があった。揚水式発電は夜間に余った電力でポンプ水車で上池（調整池）にくみ上げ、昼間に活用するための設備であった。【解決手段】本発明は無限に近い海水を利用して水力発電を行い、流込式発電ベース供給用と揚水式発電ピーク供給用とを合体することにより、ベース供給用発電に変更し電源組合せで水力発電の比率が上昇し、原子力発電は廃炉にすることが可能となる。ＣＯ２、自然環境、大気汚染、燃料コストも解決できる安全な水力発電は地球温暖化防止の最良の方法である。【選択図】図１
2019078149.tif 000002
【特許請求の範囲】
【請求項１】
海と陸の間にダムを造り流込式発電ベース供給用を行う。その起電力で揚水専用ポンプでダム内側に流れ込んだ海水を陸上に造った上池（調整池）にくみ上げる。上池（調整池）とダムの内側との落差を利用し揚水式発電ピーク供給用を行う。流込式発電と組み合わせることにより上池（調整池）の水量がポンプ水車によって調整する事が出来る。ダム内側、下池の水量調節は上池（調整池）からの発電用の落水をダムの外側の海に戻すバイパスも用意する事で調整できるため、安定的な発電が連続して継続できるベース供給用に変更する事になり、水力発電の電源組合わせ比率が上がり原子力発電を廃炉にする事が可能となる。急深の海と（断崖、絶壁）の陸地は有効落差が取れるので最良の形態である。
【請求項２】
原子力発電所は廃炉にし、跡地の土地は周囲に提を造る。建物は解体して提の一部として再利用し防水工事をし、上池（調整池）として揚水式の水力発電所にする。送電設備が利用でき海水面使用で問題はなく、ＣＯ２、大気汚染、自然環境、燃料コストの面でもすべて解決できる水力発電は地球温暖化防止の最良の方法である。請求項１の流込式発電と合体させると、より効率的になる。
【請求項３】
本発明の範囲は上記のものだけに限定されるものでなく、川、運河、湖、池、ドックなどでも応用できる。
【発明の詳細な説明】
【技術分野】
【０００１】本発明は無限に近い海水を使用して本格的な水力発電を行う方法
【背景技術】
【０００２】従来、水力発電には流込式発電ベース供給用と（揚水式、調整池式、貯水池式）発電ピーク供給用と個々別々の単体であった。【０００３】（調整池式、貯水池式）発電ピーク供給用には自然から供給される水の量が年間を通して一定ではないという問題があった。【０００４】揚水発電は新たな電力を発生させる施設と言うよりは、夜間に余った電力を昼間（ピーク時）に活用するための設備であった。【０００５】上述の如くピーク発電には欠点があった。
【発明の開示】
【発明が解決しようとしている課題】
【０００６】本発明はこのような点に鑑みて成されたものであり、その目的はピーク発電をベース発電に変更して水力発電の電源の組合せ比率を上げることにある。
【０００７】海と陸の間にダムを造り流込式発電ベース供給用を行う。流れ込んだ海水はポンプで陸上に造った上池（調整池）にくみ上げる。上池（調整池）とダム内側の落差を利用し揚水式発電ピーク供給用を行う。ベース供給用とピーク供給用を合体させる事により、不十分な個所が改善され本格的な水力発電が連続して安定的かつ継続するベース供給用に変更できる。
【０００８】急深の海と（断崖、絶壁）の陸は有効落差が取れるので最良の形態である。
【０００９】原子力発電所は廃炉にして、跡地は周囲に提を造る。建物は解体して提の一部として再利用し不十分は土砂を補充し防水工事をして上池（調整池）とし、揚水式発電所にする。
【００１０】送電設備が利用でき、海水面使用も問題は無く、ＣＯ２問題、自然環境、大気汚染、燃料コストの面も解決できるものである。
【００１１】安全な水力発電は地球温暖化防止の最良の方法である。
【００１２】本発明の範囲は上記のものに限定されるものだけでなく、川、運河、湖、池、ドックなどでも応用できる。
【図１】
2019078149.tif 000003
【図２】
2019078149.tif 000004
【手続補正書】
【提出日】平成30年1月30日(2018.1.30)
【手続補正２】
【補正対象書類名】明細書
【補正対象項目名】全文
【補正方法】変更
【補正の内容】
【発明の詳細な説明】
【技術分野】
【０００１】本発明は無限に近い海水を利用して本格的な水力発電を行う方法
【背景技術】
【０００２】従来、水力発電には流込式発電ベース供給と（揚水式、調整池式、貯水池式）発電ピーク供給用と個々別々の単体であった。【０００３】（調整池式、貯水池式）発電ピーク供給用には自然から供給される水の量が年間を通して一定でないという問題があった。【０００４】揚水発電は新たな電力を発生させる施設と言うよりは、夜間に余った電力を昼間（ピーク時）に活用するための設備であった。【０００５】上述の如くピーク発電には欠点があった。
【発明の開示】
【発明が解決しようとしている課題】
【０００６】本発明はこのような点に鑑みて成されたものであり、その目的はピーク発電をベース発電に変更して水力発電の電源の組み合わせ比率を上げることにある。
【０００７】海と陸の間にダムを造り流込式発電ベース供給用を行う。流れ込んだ海水はポンプで陸上に造った上池（調整池）にくみ上げる。上池（調整池）とダム内側の落差を利用し揚水式発電ピーク供給用を行う。ベース供給用とピーク供給用を合体させる事により、不十分な個所が改善され本格的な水力発電が連続して安定的かつ継続するベース供給用に変更できる。
【０００８】急深の海と（断崖、絶壁）の陸は有効落差が取れるので最良の形態である。
【０００９】原子力発電所は廃炉にして、跡地は周囲に提を造る。建物は解体して提の一部として再利用し不足分は土砂を補充し防水工事をして上池（調整池）とし、揚水式発電所にする。
【００１０】送電設備が利用でき、海水面使用も問題は無く、ＣＯ問題、自然環境、大気汚染、燃料コストの面も解決できるものである。
【００１１】安全な水力発電は地球温暖化防止の最良の方法である。
【００１２】本発明の範囲は上記のものに限定されるものだけでなく、川、運河、湖、池、ドックなどでも応用できる。
【図面の簡単な説明】
【００１３】
【図１】左側面図  陸上の上池、ダム内側の下池、ダム外側の海を表す図である。
【図２】正面図  海側から見た上池、下池を表す図である。